(57)【要約】【課題】精度良く受信状況を推定することが可能な受信装置及び受信方法を提供する【解決手段】受信状況推定部は、コンスタレーション上において、受信した信号に用いられている変調方式が取り得る信号値である基準値Ｓの外側に位置するシンボルＴoutを選択及び取得する。一方、当該基準値Ｓの内側に位置するシンボルＴinは選択しない。そして、取得したシンボルＴoutを用いて受信状況の推定を行う。【選択図】図５
2010245812.tif 000002
【特許請求の範囲】
【請求項１】
信号を受信する受信装置において、
受信した前記信号から、当該信号に用いられている変調方式に基づいた選択を行い、選択信号を取得する信号取得部と、
前記選択信号を用いて受信状況を推定する受信状況推定処理部と、
を備えることを特徴とする受信装置。
【請求項２】
前記信号取得部が、前記変調方式が取り得る信号値である基準値と、前記信号の信号値と、をコンスタレーション上に表したときに、最も外側に位置する前記基準値の外側に位置する信号を、前記選択信号として取得することを特徴とする請求項１に記載の受信装置。
【請求項３】
前記信号取得部が、前記基準値が取り得る同相成分の最大値以上または最小値以下となる同相成分を有する、及び、前記基準値が取り得る直交成分の最大値以上または最小値以下となる直交成分を有する、の少なくとも一方の条件を満たす信号を前記選択信号として取得することを特徴とする請求項２に記載の受信装置。
【請求項４】
前記信号取得部が、前記コンスタレーション上で任意の前記基準値を結ぶ線分に囲まれない位置の信号を、前記選択信号として取得することを特徴とする請求項２に記載の受信装置。
【請求項５】
前記受信状況推定処理部が、前記選択信号の信号値と、当該選択信号の信号値に最も近い前記基準値と、が乖離する大きさに基づいて、前記受信状況を推定することを特徴とする請求項２〜請求項４のいずれかに記載の受信装置。
【請求項６】
信号を受信する第１ステップと、
前記第１ステップで受信した前記信号から、当該信号に用いられている変調方式に基づいた選択を行い、選択信号を取得する第２ステップと、
前記第２ステップで取得した前記選択信号を用いて受信状況を推定する第３ステップと、
を備えることを特徴とする受信方法。
【発明の詳細な説明】
【技術分野】
【０００１】
本発明は、信号を受信して受信状況を推定する受信装置及び受信方法に関する。
【背景技術】
【０００２】
近年、テレビジョン放送や移動体通信などの無線通信の様々な分野において、デジタル通信技術が利用されている。また、このような受信装置の中には、受信した信号から受信状況を推定し、種々の制御に利用する受信装置がある。
【０００３】
例えば特許文献１では、受信処理の上流で得られるベースバンド信号を用いて受信状況の推定を行うことにより、迅速に受信状況の推定を行うことを可能とする受信装置が提案されている。
【先行技術文献】
【特許文献】
【０００４】
【特許文献１】特開２００７−２０８７４８号公報
【発明の概要】
【発明が解決しようとする課題】
【０００５】
しかしながら、従来の受信装置では、受信状況の推定精度が劣化する問題があった。この問題が生じる場合の一例を図８に示す。図８は、従来の受信状況の推定方法を示す図である。なお、図８に示す推定方法は、受信した信号中のシンボルの信号値と、受信した信号の変調に用いられる変調方式によってシンボルが取り得る信号値（以下、基準値とする）の中で当該シンボルの信号値に最も近いものと、が乖離する大きさを利用して受信状況を推定する方法である。なお、これらの信号値が大きく乖離するほど、受信状況が劣悪なものとして推定される。
【０００６】
図８に示すシンボルの信号値Ｔ１００は、受信状況が良好であれば基準値Ｓ１００と略等しい値になるものである。ここで、図８に示す場合では受信状況が劣悪であるため、信号値Ｔ１００が、基準値Ｓ１００よりもこれに隣接する基準値Ｓ１０１に近い値となっている。このような場合、受信状況を推定するために信号値Ｔ１００と基準値Ｓ１０１とが利用されるため、実際には受信状況が劣悪であるにもかかわらず、誤って受信状況が良好であると推定される。
【０００７】
また、図８に示す場合のように受信状況の推定精度が悪くなると、受信状況に応じた受信処理の制御（特に、受信状況劣化時の制御）を適切に行うことができなくなるため、問題となる。
【０００８】
そこで、本発明は、精度良く受信状況を推定することが可能な受信装置及び受信方法を提供することを目的とする。
【課題を解決するための手段】
【０００９】
上記目的を達成するために、本発明における受信装置は、信号を受信する受信装置において、受信した前記信号から、当該信号に用いられている変調方式に基づいた選択を行い、選択信号を取得する信号取得部と、前記選択信号を用いて受信状況を推定する受信状況推定処理部と、を備えることを特徴とする。
【００１０】
なお、以下の実施形態では、受信状況推定処理部の一例として平均ＭＥＲ推定部と平均Ｃ／Ｎ推定部とを挙げて説明している。
【００１１】
また、上記構成の受信装置において、前記信号取得部が、前記変調方式が取り得る信号値である基準値と、前記信号の信号値と、をコンスタレーション上に表したときに、最も外側に位置する前記基準値の外側に位置する信号を、前記選択信号として取得することとしても構わない。
【００１２】
このように構成すると、信号取得部によって取得される選択信号が、周囲に基準値が少ないものとなる。そのため、誤った基準値に対応する信号であると誤認される可能性が低い信号を選択信号として取得することが可能となる。したがって、推定される受信状況の精度を向上させることが可能となる。
【００１３】
また、上記構成の受信装置において、前記信号取得部が、前記基準値が取り得る同相成分の最大値以上または最小値以下となる同相成分を有する、及び、前記基準値が取り得る直交成分の最大値以上または最小値以下となる直交成分を有する、の少なくとも一方の条件を満たす信号を前記選択信号として取得することとしても構わない。
【００１４】
このように構成すると、特にＱＰＳＫやＱＡＭなどの基準値が格子状に配列される変調方式を用いて変調された信号に対して、信号取得部が信号の選択及び取得を行う際に、確実に基準値の外側の信号を選択信号として取得することが可能となる。
【００１５】
また、上記構成の受信装置において、前記信号取得部が、前記コンスタレーション上で任意の前記基準値を結ぶ線分に囲まれない位置の信号を、前記選択信号として取得することとしても構わない。
【００１６】
このように構成すると、周囲を基準値に囲まれない信号を選択信号として取得することが可能となる。そのため、信号取得部が選択信号の取得を行う際に、確実に基準値の外側の信号を選択することが可能となる。
【００１７】
また、上記構成の受信装置において、前記受信状況推定処理部が、前記選択信号の信号値と、当該選択信号の信号値に最も近い前記基準値と、が乖離する大きさに基づいて、前記受信状況を推定することとしても構わない。
【００１８】
また、本発明の受信方法は、信号を受信する第１ステップと、前記第１ステップで受信した前記信号から、当該信号に用いられている変調方式に基づいた選択を行い、選択信号を取得する第２ステップと、前記第２ステップで取得した前記選択信号を用いて受信状況を推定する第３ステップと、を備えることを特徴とする。
【発明の効果】
【００１９】
本発明の構成とすると、変調方式に基づいて、精度よく受信状況を推定することが困難であると見込まれる信号を除外し、精度よく受信状況を推定することができると見込まれる信号を選択して取得することが可能となる。したがって、受信状況の推定精度を向上させることが可能となる。
【図面の簡単な説明】
【００２０】
【図１】は、本発明の実施形態における受信装置の構成例を示すブロック図である。
【図２】は、等化処理の一例について示す変調信号の模式図である。
【図３】は、復調方法の一例について示すコンスタレーションである。
【図４】は、受信状況推定部の構成例を示すブロック図である。
【図５】は、信号の選択方法の一例について示すコンスタレーションである。
【図６】は、種々の方法で推定される受信状況のシミュレーション結果を示すグラフである。
【図７】は、信号の選択方法の別例について示すグラフである。
【図８】は、従来の受信状況の推定方法を示す図である。
【発明を実施するための形態】
【００２１】
以下、本発明の実施形態における受信装置の構成例及び動作例について、図面を参照して説明する。また、以下では、直交周波数分割多重（ＯＦＤＭ：Orthogonal Frequency Division Multiplex）方式で変調されて送信される信号を受信する受信装置を例に挙げて説明する。ただし、本例の受信装置は一例に過ぎず、他の信号を受信する受信装置であっても構わないものとする。
【００２２】
＜受信装置＞
まず、本発明の実施形態における受信装置の構成例及び動作例について、図１を用いて説明する。図１は、本発明の実施形態における受信装置の構成例を示すブロック図である。
【００２３】
図１に示す受信装置１は、送信された信号を受信するアンテナ２と、アンテナ２で受信した信号から所望の帯域の信号を選局してベースバンド信号に変換するとともに増幅を行ない出力するチューナ部３と、チューナ部３から出力されるベースバンド信号の同期を行う同期部４と、同期部４によって同期されたべースバンド信号を高速フーリエ変換して変調信号を出力するＦＦＴ（Fast Fourier Transform）部５と、ＦＦＴ部５から出力される変調信号に等化処理を施して伝送中に受けた歪みを補正して出力する等化処理部６と、等化処理部６から出力される等化処理が施された変調信号を復調して符号化信号を出力する復調部７と、復調部７で復調されて出力される符号化信号を復号する復号部８と、を備える。
【００２４】
また、復調部７は、復調を行う変調信号に基づいて受信状況を推定して受信状況情報を生成し出力する受信状況推定部７０を備える。受信状況推定部７０は、例えば変調信号のＣ／Ｎ（Carrier to Noise ratio）を推定することにより、受信状況情報を生成する。なお、受信状況推定部７０の構成の詳細については後述する。
【００２５】
受信装置１の動作について図１を参照して説明する。受信装置１は、まず、送信される信号がアンテナ２で受信される。そして、チューナ部３がアンテナ２で受信された信号から所望の周波数の信号を選局して取得し、取得した信号の周波数を変換（ダウンコンバート）してベースバンド信号を得る。また、チューナ部３は、ベースバンド信号の増幅なども行う。
【００２６】
チューナ部３から出力されるベースバンド信号は、同期部４に入力されて同期処理が施される。例えば、シンボル同期（信号の時間方向に対して行われる同期）、キャリア同期（信号の周波数方向に対して行われる同期）及びフレーム同期（信号のフレームの始点を検出して行われる同期）が行われる。
【００２７】
同期部４から出力されるベースバンド信号は、ＦＦＴ部５に入力されてＦＦＴ処理が施される。これにより、時間軸の信号から周波数軸の信号へと変換され、複数の周波数の信号（以下、サブキャリアとする）が得られる。ＯＦＤＭ方式で変調された信号では、これらのサブキャリアの周波数が直交したものとなる。これらの信号は、等化処理部６に入力されて、等化処理が施される。
【００２８】
等化処理は、例えば、周波数方向及び時間方向に規則的に配列された既知の大きさの信号であるパイロットシンボルを利用して行われる。日本の地上波デジタルテレビジョン放送などで採用されるＩＳＤＢ−Ｔ（Integrated Services Digital Broadcasting for Terrestrial）方式の場合、このパイロットシンボルとしてスキャッタードパイロットシンボル（以下、ＳＰシンボルとする）が用いられる。このＳＰシンボルを利用した等化処理の一例について、図２を参照して説明する。図２は、等化処理の一例について示す変調信号の模式図である。
【００２９】
図２に示す変調信号の各シンボルについて、時間方向（シンボル方向）に対応する時間番号（シンボル番号）をｔ（ｔ≧０の整数）で表し、周波数方向（キャリア方向）に対応するキャリア番号をｌ（ｌ≧０の整数）で表す。そして、各シンボルの位置を（ｔ，ｌ）で表すこととする。本例では、ＳＰシンボルがｌ＝３×（ｔ mod ４）＋１２ｐ、を満たすキャリア位置に配置される（ｐは０以上の整数、ｔ mod ４はｔを４で割った余りを示す）。この式に示されるように、ＳＰシンボルは、ｌ＝３ｋ（ｋ≧０の整数）となる特定のサブキャリアに備えられ、時間方向に対して４シンボル毎、周波数方向に対して１２シンボル毎に配置される。
【００３０】
等化処理部５は、まず特定のサブキャリアに配置されたＳＰシンボルに対して、時間方向の補間を行う。これにより、特定のサブキャリアの伝送路特性が推定される。さらに、ＳＰシンボルと上記補間結果とを用いて、周波数方向の補間を行う。これにより、周波数方向の伝送路特性が推定され、全てのシンボルの伝送路特性が推定される。等化処理部５は、この伝送路特性で各シンボルを複素除算することにより等化処理を行う。この等化処理により、伝送路の影響によって歪んだ変調信号の振幅や位相が補正される。
【００３１】
等化処理部５から出力されるそれぞれの変調信号は復調部７に入力され、サブキャリア毎にそれぞれの変調方式に応じた復調方法で復調される。なお、変調方式として例えば、１６ＱＡＭ（Quadrature Amplitude Modulation）や６４ＱＡＭ、ＱＰＳＫ（Quadrature Phase Shift Keying）、ＤＱＰＳＫ（Differential Quadrature Phase Shift Keying）などが用いられる。
【００３２】
復調部７の復調方法の一例について、図３を参照して説明する。図３は、復調方法の一例について示すコンスタレーションである。コンスタレーションは、信号の実数成分である同相成分（In-Phase成分、以下、Ｉ成分とする）を水平方向、信号の虚数成分である直交成分（Quadrature-Phase成分、以下Ｑ成分とする）を垂直方向にそれぞれ示すものである。なお、図３は、変調信号がＱＰＳＫで変調されている場合について示したものである。
【００３３】
図３に示す例では、Ｉ成分及びＱ成分がともに正となる基準値Ｓ００がデータ「００」を変調して得られる信号値を示したものであり、Ｉ成分が正かつＱ成分が負となる基準値Ｓ１０がデータ「１０」を変調して得られる信号値を示したものであり、Ｉ成分が負かつＱ成分が正となる基準値Ｓ０１がデータ「０１」を変調して得られる信号値を示したものであり、Ｉ成分及びＱ成分がともに負となる基準値Ｓ１１がデータ「１１」を変調して得られる信号値を示したものである。ここで、図３に示すように、復調対象となるシンボルの信号値Ｔが、基準値Ｓ００〜Ｓ１１の中の基準値Ｓ００に最も近い場合、このシンボルを復調して得られるデータは「００」となる。
【００３４】
受信状況が良好であれば、送信側でデータを変調して得た信号値（即ち、基準値）と、受信したシンボルの信号値Ｔとは略等しいものとなる。一方、受信状況が劣化すると、図８に示したようにシンボルの信号値が誤った基準値に近づくことがなければ、シンボルの信号値と基準値とは乖離する。受信状況推定部７０は、この乖離の大きさに基づいて受信状況を推定し、受信状況情報を生成する。なお、受信状況推定部７０の動作の詳細については後述する。
【００３５】
受信状況推定部７０から出力される受信状況情報は、受信装置１の各部の動作の制御に利用することができる。例えば、受信状況が良好である場合は高解像度の放送信号（例えば、１２セグメントの放送信号）を受信処理し、受信状況が劣悪である場合は映像が乱れにくい低解像度の放送信号（例えば、１セグメントの放送信号）を受信処理するように切り替える制御に、この受信状況情報を利用することができる。
【００３６】
他には、受信装置１が複数の受信部（例えば、アンテナ２、チューナ部３、同期部４、ＦＦＴ部５及び等化処理部６によって構成される部分）を備え、復調部７がそれぞれの受信部から得られた変調信号を合成して復調する場合にも、この受信状況情報を利用することができる。この場合、例えば変調信号の合成比率の制御（例えば、受信状況が劣悪である受信部から得られる変調信号の合成比率を減少、良好である受信部から得られる変調信号の合成比率を増大させる制御）や、使用する受信部の数の制御（例えば、受信状況が全体として劣悪であれば使用する受信部の数を増大、良好であれば使用する受信部の数を減少させる制御）を行うこととしても構わない。
【００３７】
復調部７から出力される符号化信号は、復号部８に入力されて復号され、出力信号が生成される。復号部８は、符号化信号に用いられている圧縮符号化方式（例えば、ＭＰＥＧ（Moving Picture Experts Group）など）に対応した方式によって、符号化信号を復号する。そして、復号されて得られる出力信号は、ディスプレイなどの出力装置（不図示）に与えられ、表示等の出力動作がなされる。なお、符号化信号は、圧縮符号化だけでなくエラー訂正符号化が施されたものであっても構わなく、復号部８がエラー訂正復号化を行うこととしても構わない。
【００３８】
＜受信状況推定部＞
次に、図１に示した受信状況推定部７０の構成及び動作について、図面を参照して説明する。図４は、受信状況推定部の構成例を示すブロック図である。
【００３９】
図４に示すように、受信状況推定部７０は、受信状況の推定に使用する信号を選択して取得する信号取得部７１と、信号取得部７１で取得された信号を用いて平均変調エラー率（以下、平均ＭＥＲ（Modulation Error Ratio）とする）を推定する平均ＭＥＲ推定部７２と、平均ＭＥＲ推定部７２で推定される平均ＭＥＲを用いて平均Ｃ／Ｎを推定し受信状況情報として出力する平均Ｃ／Ｎ推定部７３と、を備える。
【００４０】
信号取得部７１は、入力される変調信号から、所定の条件を満たす信号（シンボル）を選択的に取得する。この選択方法の具体例について図５を参照して説明する。図５は、信号の選択方法の一例について示すコンスタレーションであり、図３に示すものと同様のものである。なお、図５は変調信号が６４ＱＡＭで変調されている場合について示したものである。
【００４１】
図５に示す例では、基準値ＳのＩ成分及びＱ成分の取り得る値が、ともに±１、±３、±５、±７になり、等間隔で格子状に６４個配置される。なお、以下では基準値Ｓ及びシンボルのコンスタレーション上に示される位置を、座標（Ｉ成分，Ｑ成分）で表現する。
【００４２】
信号取得部７１は、｜Ｘ｜≧７及び｜Ｙ｜≧７の少なくとも一方を満たす位置（Ｘ，Ｙ）となるシンボルを選択して取得する。即ち、最も外側の基準値Ｓに囲まれる領域（図中の破線領域Ｅ）の外側（境界を含む）に位置するシンボルを取得する。具体的に例えば、３＜Ｘ＜５、５＜Ｙ＜７となるシンボルＴinは、この条件を満たさないため選択されない。一方、５＜Ｘ＜７、７＜ＹとなるシンボルＴoutは、この条件を満たすため選択される。
【００４３】
また、図５に示すＱＡＭや図３に示すＱＰＳＫに代表される、基準値Ｓがコンスタレーション上に格子状に配置される変調方式で変調信号が変調されている場合、信号取得部７１は、Ｘ≦ＸMIN、Ｘ≧ＸMAX、Ｙ≦ＹMIN及びＹ≧ＹMAXの４つの条件のうち少なくとも一つを満たすシンボルを取得する。ＸMIN及びＹMINは、基準値が取り得るＩ成分及びＱ成分の最小値であり、ＸMAX及びＹMAXは、基準値が取り得るＩ成分及びＱ成分の最大値である。上記図５に示す例であれば、ＸMIN＝ＹMIN＝−７、ＸMAX＝ＹMAX＝７である。
【００４４】
次に、平均ＭＥＲ推定部７２が、信号取得部７１によって取得されたシンボルを用いて平均ＭＥＲを推定する。平均ＭＥＲは、下記式（１）に示す方法で推定することができる。なお、下記式（１）中、ＩT（ｉ）及びＱT（ｉ）はｉ番目のシンボルのＩ成分及びＱ成分の値であり、ＩS（ｉ）及びＱS（ｉ）はｉ番目のシンボルの信号値に最も近い基準値のＩ成分及びＱ成分の値である。また、下記式（１）中の分母は、１〜Ｎ番目までのＮ個分のシンボルのノイズ量（シンボルの信号値と当該信号値に最も近い基準値との乖離の大きさ）の総和である。一方分子は、１〜Ｎ番目までのＮ個分のシンボルの電力（シンボルの信号値に最も近い基準値の電力の大きさ）の総和である。
【００４５】
【数１】
2010245812.tif 000003
【００４６】
上記式（１）のように推定される平均ＭＥＲ（ＭAVE）は、平均Ｃ／Ｎ推定部７２に入力され、平均Ｃ／Ｎの推定に利用される。例えば、下記式（２）に示すように、平均ＭＥＲ（ＭAVE）からオフセット量Ｆを減じることにより、平均Ｃ／Ｎ（ＣAVE）を推定する。オフセット量Ｆとは、平均ＭＥＲ（ＭAVE）を平均Ｃ／Ｎ（ＣAVE）に変換するための値であり、実験的に求めることができるものである。そして、平均Ｃ／Ｎ推定部７２で得られる平均Ｃ／Ｎ（ＣAVE）が、受信状況情報として出力される。
【００４７】
【数２】
2010245812.tif 000004
【００４８】
上記式（１）及び（２）により得られる平均ＭＥＲ（ＭAVE）及び平均Ｃ／Ｎ（ＣAVE）は、その値が大きいほど、受信状況が良好であることを示すものとなる。
【００４９】
以上のようにして受信状況を推定するとき、信号取得部７１によって除外されるシンボルは、周囲に多数の基準値が存在するものとなる。例えば図５に示すシンボルＴinは、その周囲に（３，７）、（３，５）、（５，５）及び（５，７）の４つの基準値が存在する。一方、信号取得部７１によって選択されて取得されるシンボルは、周囲に存在する基準値が少数となる。例えば図５に示すシンボルＴoutは、その周囲に（５，７）及び（７，７）の２つの基準値しか存在しない。
【００５０】
即ち、信号取得部７１が選択しないシンボルＴinは、受信状況が劣悪になって対応する基準値から乖離したときに、周囲に他の基準値が多数存在するため、当該他の基準値に対応するものであると誤認される（即ち、ノイズ量が誤認される）可能性が高いシンボルである。しかしながら、信号取得部７１が選択して取得するシンボルＴoutは、受信状況が劣悪になって対応する基準値から乖離したとしても、周囲に存在する他の基準値が少ないため、当該他の基準値に対応するものであると誤認される可能性が低いシンボルとなる。
【００５１】
したがって、信号取得部７１が選択して取得するシンボルを用いて受信状況を推定することにより、ノイズ量の誤認を抑制して、受信状況を精度良く推定することが可能となる。
【００５２】
本実施形態の構成にすることによる受信状況の推定精度向上の効果の具体例について、図面を参照して説明する。図６は、種々の方法で推定される受信状況のシミュレーション結果を示すグラフである。なお、以下の説明において、平均Ｃ／Ｎ（ＣAVE）を単にＣ／Ｎとよぶ。
【００５３】
図６は、Ｃ／Ｎを種々の値に設定した信号に対して、従来の方法で推定したＣ／Ｎ（信号選択なし、黒塗りの四画及び破線）と、本実施形態の方法で推定したＣ／Ｎ（信号選択あり、黒塗りの三角及び太い実線）と、を併せて表示したものである。なお、Ｃ／Ｎが精度良く推定される場合ほど、設定値（理想値、黒塗りの丸及び細い実線）に近いものとなる。
【００５４】
図６に示すように、特にＣ／Ｎの設定値が２０ｄＢよりも小さい（受信状況が劣悪である）信号に対して、信号選択を行わない従来の方法でＣ／Ｎの推定を行うと、設定値より大きい（受信状況が良好であることを示す）、誤ったＣ／Ｎが得られる。即ち、図８に示したような誤った受信状況の推定が頻繁に行われて、推定精度が劣悪になる。
【００５５】
一方、本実施形態の信号選択を行う方法で受信状況の推定を行うと、信号選択を行わない従来の方法よりも、設定値に近いＣ／Ｎが得られる。即ち、誤った受信状況の推定が抑制される。したがって。推定精度の向上を図ることが可能となる。
【００５６】
また、このように精度良く推定された受信状況を用いることにより、受信処理する放送信号（例えば、１２セグメント及び１セグメントの放送信号）の切り替えを、適切に行うことが可能となる。また、変調信号の合成を効果的に行うことが可能となるため、受信可能な範囲を広くすることができる。
【００５７】
なお、本実施形態の受信状況の推定方法が適用可能な変調方式は、ＱＡＭやＱＰＳＫのような基準値がコンスタレーション上で格子状に配列されるものには限られない。例えば、８ＰＳＫ（Phase Shift Keying）などであっても、基準値にシンボルが囲まれる状況が発生し得る変調方式であれば適用可能である。また、基準値の数が多く（一つのシンボルによって伝送されるビット数が多く）密集しているなど、誤認が生じやすい変調方式に適用すると好ましい。
【００５８】
また、上記例では、信号取得部７１が選択及び取得するシンボルを、基準値が取り得るＩ成分の最大値以上または最小値以下となるＩ成分を有する、及び、基準値が取り得るＱ成分の最大値以上または最小値以下となるＱ成分を有する、の少なくとも一方の条件を満たすシンボル、と規定したが、他の方法で規定しても構わない。例えば、任意の基準値を結ぶ線分に囲まれないシンボル、と規定しても構わない。このように規定されるシンボルも、周囲に存在する基準値が少数のものとなる。
【００５９】
＜変形例＞
信号取得部７１がさらに、等化処理部６で推定される伝送路特性の強度が所定の閾値よりも小さくなるシンボルを除外することとしても構わない。この選択方法について、図７に示す。図７は、信号の選択方法の別例について示すグラフである。図７に示すグラフは、変調信号の周波数を横軸、強度を縦軸としたものであり、等化処理の前後の状態について示したものである。
【００６０】
伝送路特性（図中の太線）の強度が所定の閾値（例えば、受信した信号全体の平均値）より小さくなるシンボル（図中の矢印で示す周波数のシンボル）は、強度が小さくノイズに埋没したものとなる。このようなシンボルに等化処理が施されると、大幅に強度が増幅されるが、そのほとんどはノイズ成分を増幅させたものであるため、受信状況の推定には適さないものとなる。したがって、上記の方法で選択したシンボルからこのようなシンボルを除外することにより、さらに受信状況の推定精度を向上させることが可能となる。
【００６１】
また、本発明の実施形態における受信装置１や受信状況推定部７０の各部の動作を、マイコンなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【００６２】
また、上述した場合に限らず、図１の受信装置１や図４の受信状況推定部７０は、ハードウェア、或いは、ハードウェアとソフトウェアの組み合わせによって実現可能である。また、ソフトウェアを用いて受信装置１や受信状況推定部７０を構成する場合、ソフトウェアによって実現される部位についてのブロック図は、その部位の機能ブロック図を表すこととする。
【００６３】
以上、本発明における実施形態について説明したが、本発明の範囲はこれに限定されるものではなく、発明の主旨を逸脱しない範囲で種々の変更を加えて実行することができる。
【産業上の利用可能性】
【００６４】
信号を受信して受信状況を推定する受信装置に関する。特に、受信状況の変化が大きい、車などの移動体に実装される受信装置に適用すると好適である。
【符号の説明】
【００６５】
１    受信装置
２    アンテナ
３    チューナ部
４    同期部
５    ＦＦＴ部
６    等化処理部
７    復調部
７０    受信状況推定部
７１    信号選択部
７２    平均ＭＥＲ推定部
７３    平均Ｃ／Ｎ推定部
８    復号部
【図１】
2010245812.tif 000005
【図２】
2010245812.tif 000006
【図３】
2010245812.tif 000007
【図４】
2010245812.tif 000008
【図５】
2010245812.tif 000009
【図６】
2010245812.tif 000010
【図７】
2010245812.tif 000011
【図８】
2010245812.tif 000012